(57)【特許請求の範囲】
【請求項１】
二重通信ポートを有する防犯カメラであって、
（ａ）光がカメラ本体に進入するのを可能にする開口部を含む、装着面に装着可能なカメラ本体と、
（ｂ）前記カメラ本体に搭載され、前記開口部を通って前記カメラ本体に進入する光を屈折させるように位置決めされたレンズと、
（ｃ）前記カメラ本体内に配置され、前記レンズによって屈折された光を受けるように位置決めされたイメージャと、
（ｄ）前記カメラ本体の外部からアクセス可能な一次通信ポートを含み、前記一次通信ポートが、前記カメラ本体が装着された場合に前記装着面の片側に配置される、一次通信回路と、
（ｅ）前記カメラ本体の外部からアクセス可能な二次通信ポートを含み、前記二次通信ポート及び前記開口部が、前記カメラ本体が装着された場合に前記装着面の反対側に配置される、二次通信回路と、
（ｆ）前記イメージャ並びに前記一次及び二次通信回路に通信可能に結合する制御及び処理回路であって、プロセッサと、前記プロセッサに通信可能に結合し、前記二次通信ポートがアクティブリンクに結合している場合に、前記プロセッサに、前記イメージャ上に入射した光から得られるデジタル通信信号を前記二次通信ポートに送信させる、コード化されたステートメント及び命令を有するコンピュータ可読媒体とを含む、制御及び処理回路と、
を含むことを特徴とする、防犯カメラ。
【請求項２】
前記デジタル通信信号が、前記一次及び二次通信ポートの両方に同時に送信されることを特徴とする、請求項１に記載の防犯カメラ。
【請求項３】
前記デジタル通信信号が、前記一次通信ポート又は前記二次通信ポートに別々に送信されることを特徴とする、請求項１に記載のカメラ。
【請求項４】
前記ステートメント及び命令がさらに、前記プロセッサに、前記二次通信ポートが前記アクティブリンクに結合しているか否かを検出させ、前記二次通信ポートが前記アクティブリンクに結合している場合にのみ前記二次通信ポートに前記デジタル通信信号を送信させることを特徴とする、請求項１に記載の防犯カメラ。
【請求項５】
前記二次通信ポートが前記アクティブリンクに結合しているか否かを検出することが、前記二次通信ポートをポーリングすることを含むことを特徴とする、請求項４に記載の防犯カメラ。
【請求項６】
前記ステートメント及び命令がさらに、前記プロセッサに、前記二次通信ポートが前記アクティブリンクに結合していない場合に、前記デジタル通信信号を前記一次通信ポートに送信させることを特徴とする、請求項４に記載の防犯カメラ。
【請求項７】
前記二次通信ポートが、前記カメラ本体の底面に位置することを特徴とする、請求項４に記載の防犯カメラ。
【請求項８】
前記デジタル通信信号が、イーサネットを用いて通信される、請求項４に記載の防犯カメラ。
【請求項９】
前記制御及び処理回路が、媒体アクセスコントローラ（ＭＡＣ）及び入力／出力制御回路をさらに含み、それらの各々が、前記プロセッサ、並びに前記一次及び二次通信回路に通信可能に結合することを特徴とする、請求項４に記載の防犯カメラ。
【請求項１０】
前記一次通信回路が、前記一次通信ポート及び前記ＭＡＣに通信可能に結合した一次ＰＨＹを含み、前記二次通信回路が、前記二次通信ポート及び前記ＭＡＣに通信可能に結合した二次ＰＨＹを含むことを特徴とする、請求項９に記載の防犯カメラ。
【請求項１１】
前記一次及び二次ＰＨＹが、前記ＭＡＣの共有媒体非依存インタフェース（ＭＩＩバス）及び共有管理データ入力／出力インタフェース（ＭＤＩＯバス）を通じて前記ＭＡＣに通信可能に結合することを特徴とする、請求項１０に記載の防犯カメラ。
【請求項１２】
前記一次及び二次ＰＨＹが、前記ＭＩＩバスに接続されたそれらの出力を高インピーダンス状態に設定することによって動作を開始するようにピン・ストラップされることを特徴とする、請求項１１に記載の防犯カメラ。
【請求項１３】
前記入力／出力制御回路が、前記一次ＰＨＹに通信可能に結合された一次リセットラインと、前記二次ＰＨＹのリセット入力に通信可能に結合された二次リセットラインと、前記第一次及び二次のＰＨＹ上のＭＤＩＯアドレス選択入力に通信可能に結合されたアドレスラインとを含むことを特徴とする、請求項１１に記載の防犯カメラ。
【請求項１４】
前記ステートメント及び命令がさらに、前記プロセッサに、前記二次通信ポートが前記アクティブリンクに結合していることを検出する前に、前記一次通信ポートに前記一次ＰＨＹを介して前記デジタル通信信号を送信させ、及び、前記ＭＩＩバスに接続した前記二次ＰＨＹの出力を高インピーダンス状態に設定させ、並びに、前記二次通信ポートが前記アクティブリンクに結合していることを検出した後に、
（ａ）前記一次ＰＨＹを停止させ、
（ｂ）前記二次ＰＨＹを作動させる前にアクティブリンクが存在しないことをアプリケーション層に通知させ、
（ｃ）前記ＭＩＩバスに接続した前記一次ＰＨＹの出力を高インピーダンス状態に設定させ、
（ｄ）前記ＭＩＩバスに接続した前記二次ＰＨＹの出力を高インピーダンス状態から解除し、
（ｅ）前記二次ＰＨＹを作動させ、及び
（ｆ）前記アクティブリンクが存在することを前記アプリケーション層に通知させる、
ことを特徴とする、請求項１１に記載の防犯カメラ。
【請求項１５】
前記防犯カメラが弾丸型カメラであることを特徴とする、請求項１に記載の防犯カメラ。
【請求項１６】
装着面に装着可能なカメラ本体と、光が前記カメラ本体に進入するのを可能にする前記カメラ本体の開口部と、前記カメラ本体に搭載され、前記開口部を通って前記カメラ本体に進入する光を屈折させるように位置決めされたレンズと、前記カメラ本体内に配置され、前記レンズによって屈折された光を受けるように位置決めされたイメージャとを含む防犯カメラの、一次通信ポートと二次通信ポートとの間で切り換えるための方法であって、前記一次通信ポートが、前記カメラ本体が装着された場合に前記装着面の片側に配置され、前記二次通信ポート及び前記開口部が、前記カメラ本体が装着された場合に前記装着面の反対側に配置され、前記方法が、前記二次通信ポートがアクティブリンクに結合している場合に、前記イメージャ上に入射した光から得られる映像信号を含むデジタル通信信号を前記二次通信ポートに送信するステップを含むことを特徴とする、方法。
【請求項１７】
前記デジタル通信信号が、前記一次及び二次通信ポートの両方に同時に送信されることを特徴とする、請求項１６に記載の方法。
【請求項１８】
前記デジタル通信信号が、前記一次通信ポート又は前記二次通信ポートに別々に送信されることを特徴とする、請求項１６に記載の方法。
【請求項１９】
前記二次通信ポートが前記アクティブリンクに結合しているか否かを検出するステップと、前記二次通信ポートが前記アクティブリンクに結合している場合にのみ前記二次通信ポートに前記デジタル通信信号を送信するステップとをさらに含むことを特徴とする、請求項１６に記載の方法。
【請求項２０】
前記二次通信ポートが前記アクティブリンクに結合しているか否かを検出するステップが、前記二次通信ポートをポーリングするステップを含むことを特徴とする、請求項１９に記載の方法。
【請求項２１】
前記二次通信ポートが前記アクティブリンクに結合していない場合に、前記デジタル通信信号を前記一次通信ポートに送信するステップをさらに含むことを特徴とする、請求項１９に記載の方法。
【請求項２２】
前記二次通信ポートが、前記カメラ本体の底面に位置することを特徴とする、請求項１９に記載の方法。
【請求項２３】
前記デジタル通信信号が、イーサネットを用いて通信される、請求項１９に記載の方法。
【請求項２４】
前記防犯カメラが、媒体非依存インタフェース（ＭＩＩ）バス並びに一次ＰＨＹ及び二次ＰＨＹをさらに含み、それらＰＨＹの各々が、前記ＭＩＩバスに接続された出力を有し、それを介して前記デジタル通信信号が前記一次及び二次通信ポートに送信され、前記方法が、
（ａ）前記二次通信ポートが前記アクティブリンクに結合していることを検出する前に、前記一次通信ポートに前記一次ＰＨＹを介して前記デジタル通信信号を送信するステップ、及び、前記ＭＩＩバスに接続した前記二次ＰＨＹの出力を高インピーダンス状態に設定するステップ、並びに
（ｂ）前記二次通信ポートが前記アクティブリンクに結合していることを検出した後に、
（ｉ）前記一次ＰＨＹを停止するステップ、
（ｉｉ）前記二次ＰＨＹを作動させる前にアクティブリンクが存在しないことをアプリケーション層に通知するステップ、
（ｉｉｉ）前記ＭＩＩバスに接続した前記一次ＰＨＹの出力を高インピーダンス状態に設定するステップ、
（ｉｖ）前記ＭＩＩバスに接続した前記二次ＰＨＹの出力を高インピーダンス状態から解除するステップ、
（ｖ）前記二次ＰＨＹを作動させるステップ、及び
（ｖｉ）前記アクティブリンクが存在することを前記アプリケーション層に通知するステップ、
をさらに含むことを特徴とする、請求項１９に記載の方法。
【請求項２５】
前記防犯カメラが弾丸型カメラであることを特徴とする、請求項１６に記載の方法。
【請求項２６】
請求項１６に記載の方法をプロセッサに実行させるコード化されたステートメント及び命令を有する、非一時的なコンピュータ可読媒体。
【請求項２７】
二重通信ポートを有する防犯カメラであって、
（ａ）光がカメラ本体に進入するのを可能にする開口部を含むカメラ本体と、
（ｂ）前記カメラ本体に搭載され、前記開口部を通って前記カメラ本体に進入する光を屈折させるように位置決めされたレンズと、
（ｃ）前記カメラ本体内に配置され、前記レンズによって屈折された光を受けるように位置決めされたイメージャと、
（ｄ）前記カメラ本体に取付けられ、装着面に装着可能な取付組立体と、
（ｅ）前記取付組立体を通してアクセス可能で、前記カメラ本体が前記装着面に装着されるとき前記装着面の片側に一次通信ポートを含む一次通信回路と、
（ｆ）前記カメラ本体を通してアクセス可能で、前記カメラ本体が前記装着面に装着されるとき前記装着面の反対側に二次通信ポートを含む二次通信回路と、
（ｇ）前記イメージャ並びに前記一次及び二次通信回路に通信可能に結合する制御及び処理回路であって、プロセッサと、前記プロセッサに通信可能に結合し、前記二次通信ポートがアクティブリンクに結合している場合に、前記プロセッサに、前記イメージャ上に入射した光から得られるデジタル通信信号を前記二次通信ポートに送信させる、コード化されたステートメント及び命令を有するコンピュータ可読媒体とを含む、制御及び処理回路と、
を含むことを特徴とする、防犯カメラ。
【請求項２８】
前記取付組立体が、取付板に固定された装着アームを含み、取付板は、アクセスポートを含み、前記アクセスポートを通して前記一次通信ポートにアクセス可能なことを特徴とする、請求項２７に記載の防犯カメラ。
【請求項２９】
前記アクセスポートが、前記カメラ本体が装着された場合に前記装着面に隣接する、前記取付板の面上に配置されることを特徴とする、請求項２８に記載の防犯カメラ。
【請求項３０】
前記デジタル通信信号が、前記一次及び二次通信ポートの両方に同時に送信されることを特徴とする、請求項２７に記載の防犯カメラ。
【請求項３１】
前記デジタル通信信号が、前記一次通信ポート又は前記二次通信ポートに別々に送信されることを特徴とする、請求項２７に記載の防犯カメラ。
【請求項３２】
前記ステートメント及び命令がさらに、前記プロセッサに、前記二次通信ポートが前記アクティブリンクに結合しているか否かを検出させ、前記二次通信ポートが前記アクティブリンクに結合している場合にのみ前記二次通信ポートに前記デジタル通信信号を送信させることを特徴とする、請求項２７に記載の防犯カメラ。
【請求項３３】
前記二次通信ポートが前記アクティブリンクに結合しているか否かを検出することが、前記二次通信ポートをポーリングすることを含むことを特徴とする、請求項３２に記載の防犯カメラ。
【請求項３４】
前記ステートメント及び命令がさらに、前記プロセッサに、前記二次通信ポートが前記アクティブリンクに結合していない場合に、前記デジタル通信信号を前記一次通信ポートに送信させることを特徴とする、請求項３２に記載の防犯カメラ。
【請求項３５】
前記二次通信ポートが、前記カメラ本体の底面に位置することを特徴とする、請求項３２に記載の防犯カメラ。
【請求項３６】
前記デジタル通信信号が、イーサネット（Ｒ）を用いて通信される、請求項３２に記載の防犯カメラ。
【請求項３７】
前記制御及び処理回路が、媒体アクセスコントローラ（ＭＡＣ）及び入力／出力制御回路をさらに含み、それらの各々が、前記プロセッサ、並びに前記一次及び二次通信回路に通信可能に結合することを特徴とする、請求項３２に記載の防犯カメラ。
【請求項３８】
前記一次通信回路が、前記一次通信ポート及び前記ＭＡＣに通信可能に結合した一次ＰＨＹを含み、前記二次通信回路が、前記二次通信ポート及び前記ＭＡＣに通信可能に結合した二次ＰＨＹを含むことを特徴とする、請求項３７に記載の防犯カメラ。
【請求項３９】
前記一次及び二次ＰＨＹが、前記ＭＡＣの共有媒体非依存インタフェース（ＭＩＩバス）及び共有管理データ入力／出力インタフェース（ＭＤＩＯバス）を通じて前記ＭＡＣに通信可能に結合することを特徴とする、請求項３８に記載の防犯カメラ。
【請求項４０】
前記一次及び二次ＰＨＹが、前記ＭＩＩバスに接続されたそれらの出力を高インピーダンス状態に設定することによって動作を開始するようにピン・ストラップされることを特徴とする、請求項３９に記載の防犯カメラ。
【請求項４１】
前記入力／出力制御回路が、前記一次ＰＨＹに通信可能に結合された一次リセットラインと、前記二次ＰＨＹのリセット入力に通信可能に結合された二次リセットラインと、前記一次及び二次のＰＨＹ上のＭＤＩＯアドレス選択入力に通信可能に結合されたアドレスラインとを含むことを特徴とする、請求項３９に記載の防犯カメラ。
【請求項４２】
前記ステートメント及び命令がさらに、前記プロセッサに、前記二次通信ポートが前記アクティブリンクに結合していることを検出する前に、前記一次通信ポートに前記一次ＰＨＹを介して前記デジタル通信信号を送信させ、及び、前記ＭＩＩバスに接続した前記二次ＰＨＹの出力を高インピーダンス状態に設定させ、並びに、前記二次通信ポートが前記アクティブリンクに結合していることを検出した後に、
（ａ）前記一次ＰＨＹを停止させ、
（ｂ）前記二次ＰＨＹを作動させる前にアクティブリンクが存在しないことをアプリケーション層に通知させ、
（ｃ）前記ＭＩＩバスに接続した前記一次ＰＨＹの出力を高インピーダンス状態に設定させ、
（ｄ）前記ＭＩＩバスに接続した前記二次ＰＨＹの出力を高インピーダンス状態から解除し、
（ｅ）前記二次ＰＨＹを作動させ、及び
（ｆ）前記アクティブリンクが存在することを前記アプリケーション層に通知させる、
ことを特徴とする、請求項３９に記載の防犯カメラ。
【請求項４３】
前記防犯カメラが弾丸型カメラであることを特徴とする、請求項２７に記載の防犯カメラ。
【請求項４４】
二重通信ポートを有する防犯カメラであって、
（ａ）光が前記カメラ本体に進入するのを可能にする開口部を含む、装着面に装着可能なカメラ本体と、
（ｂ）前記カメラ本体に搭載され、前記開口部を通って前記カメラ本体に進入する光を屈折させるように位置決めされたレンズと、
（ｃ）前記カメラ本体内に配置され、前記レンズによって屈折された光を受けるように位置決めされたイメージャと、
（ｄ）前記カメラ本体の外部からアクセス可能な一次通信ポートを含み、前記一次通信ポートが、前記カメラ本体が装着された場合に前記装着面の裏側に配置される一次通信回路と、
（ｅ）前記カメラ本体の外部からアクセス可能な二次通信ポートを含み、前記二次通信ポートが、前記カメラ本体が装着された場合に前記装着面の前側に配置される、二次通信回路と、
（ｆ）前記イメージャ並びに前記一次及び二次通信回路に通信可能に結合する制御及び処理回路であって、プロセッサと、前記プロセッサに通信可能に結合し、前記二次通信ポートがアクティブリンクに結合している場合に、前記プロセッサに、前記イメージャ上に入射した光から得られるデジタル通信信号を前記二次通信ポートに送信させる、コード化されたステートメント及び命令を有するコンピュータ可読媒体とを含む、制御及び処理回路と、
を含むことを特徴とする、防犯カメラ。
【請求項４５】
前記デジタル通信信号が、前記一次及び二次通信ポートの両方に同時に送信されることを特徴とする、請求項４４に記載の防犯カメラ。
【請求項４６】
前記デジタル通信信号が、前記一次通信ポート又は前記二次通信ポートに別々に送信されることを特徴とする、請求項４４に記載の防犯カメラ。
【請求項４７】
前記ステートメント及び命令がさらに、前記プロセッサに、前記二次通信ポートが前記アクティブリンクに結合しているか否かを検出させ、前記二次通信ポートが前記アクティブリンクに結合している場合にのみ前記二次通信ポートに前記デジタル通信信号を送信させることを特徴とする、請求項４４に記載の防犯カメラ。
【請求項４８】
前記二次通信ポートが前記アクティブリンクに結合しているか否かを検出することが、前記二次通信ポートをポーリングすることを含むことを特徴とする、請求項４７に記載の防犯カメラ。
【請求項４９】
前記ステートメント及び命令がさらに、前記プロセッサに、前記二次通信ポートが前記アクティブリンクに結合していない場合に、前記デジタル通信信号を前記一次通信ポートに送信させることを特徴とする、請求項４７に記載の防犯カメラ。
【請求項５０】
前記二次通信ポートが、前記カメラ本体の底面に位置することを特徴とする、請求項４７に記載の防犯カメラ。
【請求項５１】
前記デジタル通信信号が、イーサネット（Ｒ）を用いて通信される、請求項４７に記載の防犯カメラ。
【請求項５２】
前記制御及び処理回路が、媒体アクセスコントローラ（ＭＡＣ）及び入力／出力制御回路をさらに含み、それらの各々が、前記プロセッサ、並びに前記一次及び二次通信回路に通信可能に結合することを特徴とする、請求項４７に記載の防犯カメラ。
【請求項５３】
前記一次通信回路が、前記一次通信ポート及び前記ＭＡＣに通信可能に結合した一次ＰＨＹを含み、前記二次通信回路が、前記二次通信ポート及び前記ＭＡＣに通信可能に結合した二次ＰＨＹを含むことを特徴とする、請求項５２に記載の防犯カメラ。
【請求項５４】
前記一次及び二次ＰＨＹが、前記ＭＡＣの共有媒体非依存インタフェース（ＭＩＩバス）及び共有管理データ入力／出力インタフェース（ＭＤＩＯバス）を通じて前記ＭＡＣに通信可能に結合することを特徴とする、請求項５３に記載の防犯カメラ。
【請求項５５】
前記一次及び二次ＰＨＹが、前記ＭＩＩバスに接続されたそれらの出力を高インピーダンス状態に設定することによって動作を開始するようにピン・ストラップされることを特徴とする、請求項５４に記載の防犯カメラ。
【請求項５６】
前記入力／出力制御回路が、前記一次ＰＨＹに通信可能に結合された一次リセットラインと、前記二次のＰＨＹのリセット入力に通信可能に結合された二次リセットラインと、前記一次及び二次ＰＨＹ上のＭＤＩＯアドレス選択入力に通信可能に結合されたアドレスラインとを含むことを特徴とする、請求項５４に記載の防犯カメラ。
【請求項５７】
前記ステートメント及び命令がさらに、前記プロセッサに、前記二次通信ポートが前記アクティブリンクに結合していることを検出する前に、前記一次通信ポートに前記一次ＰＨＹを介して前記デジタル通信信号を送信させ、及び、前記ＭＩＩバスに接続した前記二次ＰＨＹの出力を高インピーダンス状態に設定させ、並びに、前記二次通信ポートが前記アクティブリンクに結合していることを検出した後に、
（ａ）前記一次ＰＨＹを停止させ、
（ｂ）前記二次ＰＨＹを作動させる前にアクティブリンクが存在しないことをアプリケーション層に通知させ、
（ｃ）前記ＭＩＩバスに接続した前記一次ＰＨＹの出力を高インピーダンス状態に設定させ、
（ｄ）前記ＭＩＩバスに接続した前記二次ＰＨＹの出力を高インピーダンス状態から解除し、
（ｅ）前記二次ＰＨＹを作動させ、及び
（ｆ）前記アクティブリンクが存在することを前記アプリケーション層に通知させる、
ことを特徴とする、請求項５４に記載の防犯カメラ。
【請求項５８】
前記防犯カメラが弾丸型カメラであることを特徴とする、請求項３０に記載の防犯カメラ。
【請求項５９】
前記一次及び二次通信回路は、同じ通信プロトコルを用いながら通信するよう構成されている、請求項１、２７、４４の何れか１項に記載の防犯カメラ。
【請求項６０】
前記一次通信ポート及び前記二次通信ポートは、同じ通信プロトコルを用いながら通信するよう構成されている、請求項１６に記載の方法。
【発明の詳細な説明】
【技術分野】
【０００１】
本開示は、二重通信ポートを有する防犯カメラに関する。
【背景技術】
【０００２】
保安警備業界、特にインターネットプロトコル（ＩＰ）防犯カメラの市場は成長を続けている。これは一部には、ＩＰ防犯カメラの、従来のアナログ防犯カメラに比べて得られる利点によるものである。例えば、ＩＰカメラは、双方向通信が可能であり、アナログカメラより高い解像度を可能とし、ＩＰネットワーク上で容易に再配置することができる。その普及が進めば、研究開発は、ＩＰ防犯カメラの設置及び使用をより容易にすることへと続いていく。
【発明の概要】
【０００３】
本発明の第１の態様によれば、二重通信ポートを有する防犯カメラが提供される。カメラは、光がカメラ本体に進入するのを可能にする開口部を含む、装着面に装着可能なカメラ本体と、カメラ本体に搭載され、開口部を通ってカメラ本体に進入する光を屈折させるように位置決めされたレンズと、カメラ本体内に配置され、レンズによって屈折された光を受けるように位置決めされたイメージャと、カメラ本体の外部からアクセス可能な一次通信ポートを含み、一次通信ポートが、カメラ本体が装着された場合に前記装着面の片側に配置される、一次通信回路と、カメラ本体の外部からアクセス可能な二次通信ポートを含み、二次通信ポート並びにレンズ及び開口部の一方又は両方が、カメラ本体が装着された場合に前記装着面の反対側に配置される、二次通信回路と、イメージャ並びに一次及び二次通信回路に通信可能に結合する制御及び処理回路であって、プロセッサと、プロセッサに通信可能に結合し、二次通信ポートがアクティブリンクに結合している場合に、プロセッサに、イメージャ上に入射した光から得られたデジタル通信信号を二次通信ポートに送信させる、コード化されたステートメント及び命令を有するコンピュータ可読媒体とを含む、制御及び処理回路と、を含む。
【０００４】
別の態様によれば、二重通信ポートを有する防犯カメラが提供される。カメラは、光が前記カメラ本体に進入するのを可能にする開口部を含むカメラ本体と、カメラ本体に搭載され、開口部を通って前記カメラ本体に進入する光を屈折させるように位置決めされたレンズと、カメラ本体内に配置され、レンズによって屈折された光を受けるように位置決めされたイメージャと、カメラ本体に取付けられ、装着面に装着可能な取付組立体と、取付組立体を通してアクセス可能な一次通信ポートを含む一次通信回路と、カメラ本体を通してアクセス可能な二次通信ポートを含む二次通信回路と、イメージャ並びに一次及び二次通信回路に通信可能に結合する制御及び処理回路であって、プロセッサと、プロセッサに通信可能に結合し、二次通信ポートがアクティブリンクに結合している場合に、プロセッサに、イメージャ上に入射した光から得られるデジタル通信信号を二次通信ポートに送信させる、コード化されたステートメント及び命令を有するコンピュータ可読媒体とを含む、制御及び処理回路と、を含む。取付組立体は、取付板に固定された装着アームを含むことができ、取付板は、アクセスポートを含むことができ、該アクセスポートを通して一次通信ポートにアクセス可能である。アクセスポートは、カメラが装着された場合に装着面に隣接する取付板の面上に配置することができる。
【０００５】
別の態様によれば、二重通信ポートを有する防犯カメラが提供され、該カメラは、光が前記カメラ本体に進入するのを可能にする開口部を含む、装着面に装着可能なカメラ本体と、カメラ本体に搭載され、開口部を通ってカメラ本体に進入する光を屈折させるように位置決めされたレンズと、カメラ本体内に配置され、レンズによって屈折された光を受けるように位置決めされたイメージャと、カメラ本体の外部からアクセス可能な一次通信ポートを含み、一次通信ポートが、カメラ本体が装着された場合に装着面の裏側に配置される一次通信回路と、カメラ本体の外部からアクセス可能な二次通信ポートを含み、二次通信ポートが、カメラ本体が装着された場合に装着面の前側に配置される、二次通信回路と、イメージャ並びに一次及び二次通信回路に通信可能に結合する制御及び処理回路であって、プロセッサと、プロセッサに通信可能に結合し、二次通信ポートがアクティブリンクに結合している場合に、プロセッサに、イメージャ上に入射した光から得られるデジタル通信信号を二次通信ポートに送信させる、コード化されたステートメント及び命令を有するコンピュータ可読媒体とを含む、制御及び処理回路と、を含む。
【０００６】
以下、上述の態様の全てに対する可能性のある変形を説明する。
【０００７】
デジタル通信信号は、一次及び二次通信ポートの両方に同時に送信されるものとすることができる。
【０００８】
あるいは、デジタル通信信号は、一次通信ポート又は二次通信ポートに別々に送信されるものとすることができる。
【０００９】
前記ステートメント及び命令はさらに、プロセッサに、二次通信ポートがアクティブリンクに結合しているか否かを検出させ、二次通信ポートがアクティブリンクに結合している場合にのみ二次通信ポートにデジタル通信信号を送信させることができる。
【００１０】
二次通信ポートがアクティブリンクに結合しているか否かを検出することは、二次通信ポートをポーリングすることを含むことができる。
【００１１】
ステートメント及び命令はさらに、プロセッサに、二次通信ポートがアクティブリンクに結合していない場合に、デジタル通信信号を一次通信ポートに送信させることができる。
【００１２】
二次通信ポートは、カメラ本体の底面に位置することができる。
【００１３】
デジタル通信信号は、イーサネットを用いて通信することができる。
【００１４】
制御及び処理回路は、媒体アクセスコントローラ（ＭＡＣ）及び入力／出力制御回路をさらに含むことができ、それらの各々が、前記プロセッサ、並びに前記一次及び二次通信回路に通信可能に結合する。
【００１５】
一次通信回路は、一次通信ポート及びＭＡＣに通信可能に結合した一次ＰＨＹを含むことができ、二次通信回路は、二次通信ポート及びＭＡＣに通信可能に結合した二次ＰＨＹを含むことができる。
【００１６】
一次及び二次ＰＨＹは、ＭＡＣの共有媒体非依存インタフェース（ＭＩＩバス）及び共有管理データ入力／出力インタフェース（ＭＤＩＯバス）を通じてＭＡＣに通信可能に結合することができる。
【００１７】
一次及び二次ＰＨＹは、ＭＩＩバスに接続されたそれらの出力を高インピーダンス状態に設定することによって動作を開始するようにピン・ストラップすることができる。
【００１８】
入力／出力回路は、一次ＰＨＹに通信可能に結合された一次リセットラインと、二次ＰＨＹのリセット入力に通信可能に結合された二次リセットラインと、一次及び二次ＰＨＹ上のＭＤＩＯアドレス選択入力に通信可能に結合されたアドレスラインとを含むことができる。
【００１９】
ステートメント及び命令はさらに、プロセッサに、二次通信ポートがアクティブリンクに結合していることを検出する前に、一次通信ポートに一次ＰＨＹを介してデジタル通信信号を送信させ、及び、ＭＩＩバスに接続した二次ＰＨＹの出力を高インピーダンス状態に設定させ、並びに二次通信ポートがアクティブリンクに結合していることを検出した後に、一次ＰＨＹを停止させ、二次ＰＨＹを作動させる前にアクティブリンクが存在しないことをアプリケーション層に通知させ、ＭＩＩバスに接続した一次ＰＨＹの出力を高インピーダンス状態に設定させ、ＭＩＩバスに接続した二次ＰＨＹの出力を高インピーダンス状態から解除し、二次ＰＨＹを作動させ、及び、アクティブリンクが存在することをアプリケーション層に通知させることができる。
【００２０】
カメラは、弾丸型カメラとすることができる。
【００２１】
別の態様によれば、装着面に装着可能なカメラ本体と、光がカメラ本体に進入するのを可能にするカメラ本体内の開口部と、カメラ本体に搭載され、開口部を通ってカメラ本体に進入する光を屈折させるように位置決めされたレンズと、カメラ本体内に配置され、レンズによって屈折された光を受けるように位置決めされたイメージャとを含む防犯カメラの、一次通信ポートと二次通信ポートとの間で切り換えるための方法が提供され、一次通信ポートは、カメラ本体が装着された場合に装着面の片側に配置され、二次通信ポート、並びにレンズ及び開口部の一方又は両方が、カメラ本体が装着された場合に装着面の反対側に配置される。この方法は、二次通信ポートがアクティブリンクに結合している場合に、イメージャ上に入射した光から得られる映像信号を含むデジタル通信信号を二次通信ポートに送信することを含む。
【００２２】
デジタル通信信号は、一次及び二次通信ポートの両方に同時に送信されるものとすることができる。あるいは、デジタル通信信号は、一次通信ポート又は前記二次通信ポートに別々に送信されるものとすることができる。
【００２３】
この方法は、二次通信ポートがアクティブリンクに結合しているか否かを検出することと、二次通信ポートがアクティブリンクに結合している場合にのみ二次通信ポートにデジタル通信信号を送信することとをさらに含むことができる。
【００２４】
二次通信ポートがアクティブリンクに結合しているか否かを検出することは、二次通信ポートをポーリングすることを含むことができる。
【００２５】
この方法は、二次通信ポートがアクティブリンクに結合していない場合に、デジタル通信信号を一次通信ポートに送信することをさらに含むことができる。
【００２６】
二次通信ポートは、カメラ本体の底面に位置するものとすることができる。
【００２７】
デジタル通信信号は、イーサネットを用いて通信することができる。
【００２８】
カメラは、媒体非依存インタフェース（ＭＩＩ）バス並びに一次ＰＨＹ及び二次ＰＨＹをさらに含むことができ、それらＰＨＹの各々が、ＭＩＩバスに接続された出力を有し、それを介してデジタル通信信号が一次及び二次通信ポートに送信され、この方法は、二次通信ポートがアクティブリンクに結合していることを検出する前に、一次通信ポートに一次ＰＨＹを介してデジタル通信信号を送信すること、及び、ＭＩＩバスに接続した二次ＰＨＹの出力を高インピーダンス状態に設定すること、並びに二次通信ポートがアクティブリンクに結合していることを検出した後に、一次ＰＨＹを停止すること、二次ＰＨＹを作動させる前にアクティブリンクが存在しないことをアプリケーション層に通知すること、ＭＩＩバスに接続した一次ＰＨＹの出力を高インピーダンス状態に設定すること、ＭＩＩバスに接続した二次ＰＨＹの出力を高インピーダンス状態から解除すること、二次ＰＨＹを作動させること、及び、アクティブリンクが存在することをアプリケーション層に通知すること、をさらに含むことができる。
【００２９】
カメラは、弾丸型カメラとすることができる。
【００３０】
別の態様によれば、前述の方法の態様又はそれらの組合せのいずれかをプロセッサに実行させるコード化されたステートメント及び命令を有する、非一時的なコンピュータ可読媒体が提供される。
【００３１】
この要旨は、必ずしも全ての態様の全範囲を記載してない。他の態様、特徴及び利点は、当業者には、下の特定の実施形態の説明を検討すれば明らかである。
【００３２】
添付の図面は、１つ又はそれ以上の例示的な実施形態を示す。
【図面の簡単な説明】
【００３３】
【図１】１つの実施形態による、二重通信ポートを有する防犯カメラの斜視図である。
【図２】図１のカメラの底面図である。
【図３】図１のカメラで用いられるイメージャ、制御及び処理回路、並びに通信回路のブロック図である。
【図４（ａ）】別の実施形態による、図１のカメラの二重通信ポート間を切り換えるための方法のフローチャートである。
【図４（ｂ）】別の実施形態による、図１のカメラの二重通信ポート間を切り換えるための方法のフローチャートである。
【図５（ａ）】図３のイメージャ、制御及び処理回路、並びに通信回路の代替的な実施形態のブロック図である。
【図５（ｂ）】図３のイメージャ、制御及び処理回路、並びに通信回路の代替的な実施形態のブロック図である。
【図５（ｃ）】図３のイメージャ、制御及び処理回路、並びに通信回路の代替的な実施形態のブロック図である。
【発明を実施するための形態】
【００３４】
「上」、「底」、「上方」、「下方」、「縦」及び「横」などの方向を示す用語は、以下の説明中、相対的な基準を与える目的のみで用いられ、いずれかの物品を使用中にどのように配置するか、又は組立体の中に若しくは環境に対してどのように装着するかに関してなんら制限を示唆することを意図したものではない。
【００３５】
従来のＩＰ防犯カメラの設置の際、設置技術者は、カメラをネットワークに接続し、このネットワークを介して、カメラは、映像を生成するために用いられるデジタル映像情報及び制御情報を含むデジタル通信信号を伝送する。カメラとネットワークとの間の接続部（「ネットワーク接続」）は、カメラが装着される面（「装着面」）の裏側にあり、例えば装着面が壁である場合、ネットワーク接続は壁の裏側で行われる。このネットワーク接続の位置は、カメラを所定位置に配置して装着面に固定すると、技術者はもはやネットワーク接続に物理的にアクセスすることができないことを意味する。
【００３６】
カメラが装着されると、設置プロセスは、カメラの焦点及び照準を適切に合わせるために、技術者が、カメラがネットワークに出力するデジタル通信信号から生成される映像を見ることを必要とする。しかしながら、技術者はネットワーク接続にアクセスできないので、技術者は、ネットワークに接続された、カメラから遠隔にある映像端末からの映像を直接見るか、又は映像端末のところにいて技術者に情報を中継する協力者と共に作業するか、そのどちらかである。どちらの解決策も最適ではなく、前者の場合、技術者がカメラと映像端末との間で移動する時間が無駄であり、他方、後者の場合、技術者が一人で作業する場合よりも人件費がかかる。
【００３７】
本明細書で開示される実施形態は、デジタル通信信号を出力するために用いられる二重通信ポートを有する防犯カメラに関する。通信ポートの一方（「一次通信ポート」）は、カメラが設置される場合に装着面の裏側に配置され、もう一方（「二次通信ポート」）は、装着面の前側に配置され、カメラが装着された後でも技術者がアクセス可能である。技術者が映像端末を二次通信ポートに接続すると、カメラは、技術者の映像端末にデジタル通信信号を出力し、技術者が一人で作業している場合にカメラから離れなくても映像を見ること並びにカメラの焦点及び照準を合わせることを可能にし、これによりカメラの設置が容易になる。
【００３８】
ここで図１及び図２を参照すると、１つの実施形態による、二重通信ポート、装着アーム１０８、及び取付板１１０を有する防犯カメラ１００の斜視図及び底面図がそれぞれ示されている。装着アーム１０８及び取付板１１０は、総称してカメラ「取付組立体」である。カメラ１００は、光が進入するのを可能にする開口部１０６を有するカメラ本体１０２を含み、その内部に収容される。レンズ（図示せず）は、カメラ本体１０２に搭載され、開口部１０６を通ってカメラ本体１０２に進入する光を屈折するように位置決めされる。図示の実施形態において、レンズはカメラ本体１０２内に収容されているが、代替的な実施形態（図示せず）において、レンズをカメラ本体１０２の外側に搭載することができる。カメラ本体１０２の前方に張り出したフード１０４が、カメラ本体１０２の左側及び右側に取付けられ、カメラ本体１０２の上部に沿って延びている。カメラ本体１０２の後部には、装着アーム１０８が取付けられており、装着アーム１０８はカメラ本体１０２を装着面に固定される取付板１１０に連結する。
【００３９】
カメラ本体１０２の底面には構成用パネル２０２があり、その上には、以下に詳細に説明する、構成用イーサネット（Ｅｔｈｅｒｎｅｔ）ポート２０４ｂの形態の二次通信ポートと、接続状態ＬＥＤ２０６と、リンクＬＥＤ２０８とを有する。取付板１１０上には、カメラ１００を識別するシリアル番号タグ２１０と、カメラ１００が装着された場合に装着面に隣接する取付板１１０の表面上のアクセスポート（図示せず）とがある。一次イーサネットポート２０４ａ（図３に示す）の形態の一次通信ポートは、このアクセスポートを通じてアクセス可能であり、カメラ設置中にネットワークに接続される。イーサネットポート２０４ａは、カメラ本体１０２が装着された場合、装着面の片側（例えば壁の裏側）にあり、他方、構成用イーサネットポート２０４ｂ及びレンズは、カメラ本体１０２が装着された場合、装着面の反対側（例えば壁の前側）にある。構成用イーサネットポート２０４ｂは、その結果として、カメラ１００が装着面に装着された後でも技術者が容易にアクセス可能であり、他方、アクセスポートはそうではない。
【００４０】
図３を参照すると、カメラ本体１０２に収容されたイメージャ３１８、制御及び処理回路３０２、並びに通信回路３０４ａ、３０４ｂのブロック図３００が示される。イメージャ３１８は、レンズによって屈折された光を受けて制御及び処理回路３０２に信号を出力するように位置決めされ、制御及び処理回路は、図３においては、システム・オン・チップ（ＳｏＣ）３０８、並びにＳｏＣ３０８に実行させるためのステートメント及び命令を格納する不揮発性メモリなどのコンピュータ可読媒体３２０である。例示的なステートメント及び命令は、図４に示すような、以下に詳細に説明する、カメラ１００のポート２０４ａ、ｂ間を切り換えるための方法４００を含む。ＳｏＣ３０８は、プロセッサ３１０を含み、これは、ＳｏＣ３０８のその他の構成要素である、画像信号プロセッサ（ＩＳＰ）３１６、媒体アクセスコントローラ（ＭＡＣ）３１４、及び汎用入力／出力（ＧＰＩＯ）ライン３１２の形態の入力／出力制御回路の各々と通信可能に結合する。プロセッサ３１０は、コンピュータ可読媒体３２０とも通信可能に結合する。
【００４１】
２つのバス、すなわち媒体非依存インタフェース（ｍｅｄｉａ  ｉｎｄｅｐｅｎｄｅｎｔ  ｉｎｔｅｒｆａｃｅ）（ＭＩＩ）バス及び管理データ入力／出力インタフェース（ＭＤＩＯ）バスがＭＡＣ３１４に接続される。これら２つのバスは、ＭＡＣ３１４により、一次及び二次通信回路３０４ａ、３０４ｂと通信するために用いられ、一次及び二次通信回路３０４ａ、３０４ｂにより共有される。一次通信回路３０４ａは、一次イーサネット物理層（ＩＣ）（イーサネット物理層ＩＣを以後「ＰＨＹ」と称する）３２４ａを含み、これは送信及び受信ラインを用いて、イーサネット・マグネティクス３２６ａを介して一次イーサネットポート２０４ａに通信可能に結合する。イーサネット・マグネティクス３２６ａには、カメラが一次イーサネットポート２０４ａを介してネットワークに接続された場合にネットワークから電力を受け取るＤＣ／ＤＣ変換器３２２が電気的に結合され、この電力は、パワー・オーバー・イーサネット（ＰｏＥ）技術を用いてカメラ１００に給電するために用いられる。一次ＰＨＹ３２４ａは、ＭＤＩＯ及びＭＩＩバスを介してＭＡＣ３１４に接続される。同様に、二次通信回路３０４ｂは、送信及び受信ラインを用いてイーサネット・マグネティクス３２６ｂを介して構成用イーサネットポート２０４ｂに通信可能に結合する、二次ＰＨＹ３２４ｂを含む。二次ＰＨＹ３２４ｂもまた、ＭＤＩＯ及びＭＩＩバスを介してＭＡＣ３１４に接続される。図示の実施形態において、イーサネットポート２０４ａ、ｂの各々は、ＲＪ−４５コネクタであり、ＰＨＹ３２４ａ、ｂの各々は、Ｂｒｏａｄｃｏｍ（商標）ＢＣＭ５４２１  １０／１００ＢａｓｅＴ（高速）イーサネット物理層ＩＣである。
【００４２】
ＧＰＩＯライン３１２のうち図３でＲＥＳＥＴ＿ＰＨＹ１と表示された１つは、一次ＰＨＹ３２４ａ上のリセットピンに接続され、一方、図３でＲＥＳＥＴ＿ＰＨＹ２と表示された別のＧＰＩＯライン３１２は、二次ＰＨＹ３２４ｂ上のリセットピンに接続される。従って、ＳｏＣ３０８は、ＰＨＹ３２４ａ、ｂの各々を独立にリセットすることができる。図３でＰＨＹ＿ＡＤＤＲＥＳＳと表示された別のＧＰＩＯライン３１２は、ＰＨＹ３２４ａ、ｂの各々のＭＤＩＯアドレス選択ピンに接続される。ＰＨＹ３２４ａ、ｂの特定の１つに対するリセット信号をディアサートする一方でＰＨＹ＿ＡＤＤＲＥＳＳを制御することにより、ＳｏＣ３０８は、別々のＭＤＩＯアドレスをＰＨＹ３２４ａ、ｂの各々に割り当てることができ、これは、ＰＨＹ３２４ａ、ｂの両方が共有ＭＤＩＯバス上で通信することを可能にするために行われる。この手順は、システム初期化中に行われる。
【００４３】
また、ＰＨＹ３２４ａ、ｂの各々は、高ストラップされた（ｓｔｒａｐｐｅｄ  ｈｉｇｈ）ピンである隔離(ｉｓｏｌａｔｅ）ピンを有する。その結果として、ＰＨＹ３２４ａ、ｂは、ＰＨＹ３２４ａ、ｂの各々がイーサネットポート２０４ａ、ｂから受け取るいかなる入力も無視する「超隔離(ｓｕｐｅｒ  ｉｓｏｌａｔｅｄ）」モードで起動し、ＭＩＩバスに接続されたそれらの出力は、高インピーダンス状態に設定される。ＳｏＣ３０８は、ＭＤＩＯバスを用いて、ＰＨＹ３２４ａ、ｂを「隔離」モードに移行するように構成することができ、この場合、ＰＨＹ３２４ａ、ｂは、ポート２０４ａ、ｂがアクティブリンクに結合しているか否かを検出することができるが、そのＭＩＩに接続された出力はいまだ高インピーダンス状態に設定されており、また、隔離モードを出てアクティブモードに入るように構成することができ、その場合、ＰＨＹ３２４ａ、ｂはＭＩＩバス上でデータを伝送することが可能になる。イーサネットが通信に用いられる図示の実施形態において、「アクティブリンクに結合している」とは、ＰＨＹ３２４ａ、ｂがポート２０４ａ、ｂを介してアクティブなイーサネット接続に結合していることを意味する。より一般的には、「アクティブリンクに結合している」とは、一次及び二次通信回路がそれぞれ一次及び二次通信ポートを介して、その一次及び二次通信回路が使用するように設計されているプロトコルを用いて通信するアクティブ接続に結合していることを意味する。
【００４４】
ＰＨＹ３２４ａ、ｂの各々は、「リンク（ｌｉｎｋ）」ピンを有し、これは、ＰＨＹ３２４ａ、ｂがアクティブリンクを検出しない場合には低レベルになり、検出した場合には高レベルになる。ＰＨＹ３２４ａ、ｂからのリンクピンを合わせて論理和（ＯＲ）を取り、その結果をリンクＬＥＤ２０８に出力する。従って、リンクＬＥＤ２０８は、ＰＨＹ３２４ａ、ｂのいずれかがアクティブリンクに結合しているか否かを示す。一次ＰＨＹ３２４ａはまた、ＳｏＣ３０８がＭＤＩＯバスを介して制御する「状態（ｓｔａｔｕｓ）」ピンも有する。状態ピンは、状態ＬＥＤ２０６に接続し、従って、状態ＬＥＤ２０６は、ＳｏＣ３０８によって判定された状態を示す。
【００４５】
ここで図４（ａ）及び図４（ｂ）を参照すると、カメラ１００の二重通信ポート２０４ａ、ｂ間を切り換えるための方法４００のフローチャートが示されている。ＳｏＣ３０８は、構成用イーサネットポート２０４ｂを監視して、これがアクティブリンクに結合された場合を検出する。これがアクティブリンクに結合された場合、例えば、技術者が設置中にカメラ１００の焦点及び照準を合わせるために映像端末を接続した場合、ＳｏＣ３０８は、イメージャ３１８上に入射した光から得られるデジタル映像情報を含むデジタル通信信号を、構成用イーサネットポート２０４ｂに送信する。ＳｏＣ３０８がその前にデジタル通信信号を一次イーサネットポート２０４ａに送信していた場合、図示の実施形態において、ＳｏＣ３０８は、信号を構成用イーサネットポート２０４ｂに送信する前に一次イーサネットポート２０４ａへのデジタル通信信号の送信を中止する。図４（ａ）及び図４（ｂ）において、一次ＰＨＹ３２４ａはＰＨＹ１と称され、二次ＰＨＹ３２４ｂはＰＨＹ２と称される。
【００４６】
ブロック４０２において、カメラ１００が起動する。上述のように、ＰＨＹ３２４ａ、ｂは、超隔離モードで起動するようにピン・ストラップされる。ブロック４０４において、ＳｏＣ３０８は、ＭＤＩＯバス上でコマンドを送出することによりＰＨＹ３２４ａ、ｂの両方を隔離モードに設定する。ブロック４０６において、ＳｏＣ３０８は、ＰＨＹ３２４ａ、ｂの両方を超隔離モードから解除する。図示の実施形態において、ＰＨＹ３２４ａ、ｂは超隔離モードで起動するが、代替的な実施形態（図示せず）では、ＰＨＹ３２４ａ、ｂは、隔離モードで起動するものとすることができる。ＳｏＣ３０８は次に、ブロック４０８において一次ＰＨＹ３２４ａを隔離モードから解除し、これは一次ＰＨＹ３２４ａをアクティブモードに設定することと同等である。ＳｏＣ３０８は次に、ブロック４１０において、ドライバを初期化し、ＳｏＣ３０８がＰＨＹ３２４ａ、ｂのうちのどちらが現在アクティブモードにあるかを記憶するために用いる変数ＡｃｔｉｖｅＰＨＹを、一次ＰＨＹ３２４ａに設定する。ＳｏＣ３０８はまた、変数タイムアウトを初期化して、無効にする。以下により詳細に説明するように、タイムアウト変数を用いて、物理層からアプリケーション層にいつメッセージを送るかを決定する。ブロック４０４から４１０までは、方法４００の初期化フェーズを表す。
【００４７】
ブロック４１２において、ＳｏＣ３０８は、Ｎｍｓの間、スリープし、これは図示の実施形態では５００ｍｓである。ブロック４１４において、ＳｏＣ３０８は、タイムアウトが有効であるか否か判定する。ＳｏＣ３０８が最初に方法４００を実行する際にタイムアウトは無効であり、ＳｏＣ３０８は、構成用イーサネットポート２０４ｂがアクティブリンクに結合しているか否かを判定するブロック４１６に進み、それは、ＳｏＣ３０８がＭＤＩＯバスを介して監視することができる。「いいえ」であれば、ＳｏＣ３０８は、技術者がまだ構成用イーサネットポート２０４ｂに映像端末を接続していないと判断し、ＳｏＣ３０８はブロック４１８に進み、ここで、変数ＯｌｄＰＨＹを、二次ＰＨＹ３２４ｂを表すように設定し、変数ＮｅｗＰＨＹを、一次ＰＨＹ３２４ａを表すように設定する。ＳｏＣ３０８は次にブロック４２０に進み、ここで、ＮｅｗＰＨＹで表されるＰＨＹ３２４ａ、ｂがＡｃｔｉｖｅＰＨＹであるか否かを判定する。この場合、ＮｅｗＰＨＹ及びＡｃｔｉｖｅＰＨＹは両方とも一次ＰＨＹ３２４ａなので、答えは「はい」であり、ＳｏＣ３０８は、ブロック４１２に戻り、技術者が構成用イーサネットポート２０４ｂをアクティブリンクに結合するまで、ブロック４１２から４２０を通ってループする。
【００４８】
ひとたび技術者が、例えば構成用イーサネットポート２０４ｂをイーサネットケーブルを介してカメラ１００とインタフェースするために用いられるソフトウェアを有するラップトップと接続することによって、構成用イーサネットポート２０４ｂをアクティブリンクに結合すると、二次ＰＨＹ３２４ｂは、アクティブリンクを検出し、これをＭＤＩＯバスを介してＳｏＣ３０８に報告する。ＳｏＣ３０８は、次回、ブロック４１６に達すると、アクティブリンクを検出してブロック４２２に進み、ここでＯｌｄＰＨＹが一次ＰＨＹ３２４ａに設定され、ＮｅｗＰＨＹが二次ＰＨＹ３２４ｂに設定される。ブロック４２０において、ＳｏＣ３０８は、ＡｃｔｉｖｅＰＨＹがＮｅｗＰＨＹでないと判定し、その結果、ブロック４２４に進み、ここでＯｌｄＰＨＹ（一次ＰＨＹ３２４ａ）を停止し、これをＭＤＩＯバスを介して隔離モードに設定する（ブロック４２６）。ＳｏＣ３０８は、ブロック４２８において、イーサネットリンクがダウンしたことをアプリケーション層に通知する。従って、カメラ１００上で実行されているアプリケーションソフトウェアは、イーサネット接続が失われたと信じ、従って、物理層が一次ＰＨＹ３２４ａから二次ＰＨＹ３２４ｂに移行したものとして反応することができる。ブロック４３０において、ＳｏＣ３０８は、ＮｅｗＰＨＹ（二次ＰＨＹ３２４ｂ）を隔離モードから解除し、次いでＡｃｔｉｖｅＰＨＹを、二次ＰＨＹ３２４ｂを表すように設定し（ブロック４３２）、次いで二次ＰＨＹ３２４ｂを用いることを開始する（ブロック４３４）。ＳｏＣ３０８は次にブロック４３６に進み、ここでタイムアウトを現在時間（ｃｕｒｒｅｎｔ  ｔｉｍｅ）＋Ｍの有効値に設定し、図示の実施形態において、Ｍは２，０００ｍｓである。タイムアウトを設定した後、ＳｏＣ３０８はブロック４１２に戻る。
【００４９】
Ｎ＝５００ｍｓ、Ｍ＝２，０００ｍｓである、図示の実施形態において、ＳｏＣ３０８は、ブロック４１２、４１４及び４３８を通って３回ループし、４回目にＳｏＣ３０８は、ブロック４３８において現在時間がタイムアウトと等しいと判定してブロック４４０に進み、ここで、ブロック４１２に直接戻る代わりに、タイムアウトをリセットして無効にする。ブロック４４０の後、ＳｏＣ３０８はブロック４４２に進み、ここでアクティブリンクが復帰したことをアプリケーション層に通知し、次いでブロック４１２に進む。これは、物理層を、アプリケーション層に対して、アクティブリンクが２，０００ｍｓの間失われていた後で復帰したかのように有効にシミュレートさせるものであり、それにより、アプリケーション層は、一次ＰＨＹ３２４ａのみの使用に合わせて設計されたレガシープログラミングを用いて、一次ＰＨＹ３２４ａから二次ＰＨＹ３２４ｂへの移行をおこなうことが可能になる。アプリケーション層は、二重ポート２０４ａ、ｂを知ることなく、及び、１つのポートのアクティブリンクの喪失及び復帰として認識したものが実際には一次ＰＨＹ３２４ａから二次ＰＨＹ３２４ｂへの移行であることを知ることなく、機能することができる。しかしながら、代替的な実施形態（図示せず）では、アプリケーション層は、カメラ１００が２つのポート２０４ａ、ｂを有すること知った上でプログラムすることができ、上述のように喪失リンクをシミュレートする物理層なしで、２つのポート２０４ａ、ｂ間の移行をおこなうことができる。
【００５０】
ブロック４１２に戻った後、ＳｏＣ３０８は、技術者がアクティブリンクを構成用イーサネットポート２０４ｂから除去するまで、例えばイーサネットケーブルを構成用イーサネットポート３２４ｂから抜くまで、ブロック４１２と４２０との間でループする。
【００５１】
アクティブリンクが除去された後、二次ＰＨＹ３２４ｂは、アクティブリンクの停止を検出し、これをＭＤＩＯバスを介してＳｏＣ３０８に報告する。ＳｏＣ３０８は、次回ブロック４１６に達すると、アクティブリンクが存在しないことを検出し、ブロック４１８に進み、ここでＯｌｄＰＨＹが二次ＰＨＹ３２４ｂに設定され、ＮｅｗＰＨＹが一次ＰＨＹ３２４ａに設定される。ブロック４２０において、ＳｏＣ３０８は、ＡｃｔｉｖｅＰＨＹがＮｅｗＰＨＹではないと判定し、その結果、ブロック４２４に進み、ここでＯｌｄＰＨＹ（二次ＰＨＹ３２４ｂ）を停止し、これを隔離モードに設定する（ブロック４２６）。ＳｏＣ３０８は、ブロック４２８において、イーサネットリンクがダウンしたことをアプリケーション層に通知する。従って、カメラ１００上で実行されているアプリケーションソフトウェアは、イーサネット接続が再び失われたと信じ、従って、物理層が二次ＰＨＹ３２４ｂから一次ＰＨＹ３２４ａに移行したものとして反応することができる。ブロック４３０において、ＳｏＣ３０８は、ＮｅｗＰＨＹ（一次ＰＨＹ３２４ａ）を隔離モードから解除し、次いでＡｃｔｉｖｅＰＨＹを、一次ＰＨＹ３２４ａを表すように設定し（ブロック４３２）、次いで一次ＰＨＹ３２４ａを用いることを開始する（ブロック４３４）。ＳｏＣ３０８は次にブロック４３６に進み、ここでタイムアウトを現在時間＋Ｍの有効値に設定し、図示の実施形態において、Ｍは２，０００ｍｓである。タイムアウトを設定した後、ＳｏＣ３０８はブロック４１２に戻り、そこでＳｏＣ３０８は、アクティブリンクが復帰したことをアプリケーション層に通知する前に、２，０００ｍｓにわたって、待機することになる。ＳｏＣ３０８は次に、ブロック４１２に戻り、構成用イーサネットポート２０４ｂが再び使用されるまでブロック４１２と４２０との間でループする。
【００５２】
上記実施形態においては、一次イーサネットポート２０４ａは、構成用イーサネットポート２０４ｂがアクティブリンクに結合される前、その間、及びその後にアクティブリンクに結合されているが、代替的な実施形態では、これは必ずしも当てはまらない。例えば、技術者は、一次イーサネットポート２０４ａをネットワークに接続する前に構成用イーサネットポート２０４ｂを用いることができ、又は構成用イーサネットポート２０４ｂが使用されている間、ネットワークをオフラインにすることができる。
【００５３】
さらに、上記実施形態では、ＰＨＹ３２４ａ、ｂは、ＭＩＩ及びＭＤＩＯバスを共有し、それにより同じＭＡＣ３１４に結合している。しかしながら、代替的な実施形態では、これは必ずしも当てはまらない。例えば、図５（ａ）に示すこれら代替的実施形態のうちの１つでは、制御及び処理回路３０２は、図３に示すものと同様であるが、付加的なプロセッサ３１０’と、プロセッサ３１０’に通信可能に結合する付加的なＭＡＣ３１４’と、プロセッサ３１０'に通信可能に結合する付加的なコンピュータ可読媒体３２０’とをさらに含む。付加的なプロセッサ３１０'は、図３に示すプロセッサ３１０に接続される。通信回路３４ａ、ｂがＭＡＣ３１４を共有する代わりに、一次ＰＨＹ３２４ａ（図５（ａ）には明示されていないが、一次通信回路３０４ａの一部）は、ＭＡＣ３１４の一方のＭＩＩ及びＭＤＩＯバスに結合し、一方、二次ＰＨＹ３２４ｂ（図５（ａ）には明示されていないが、二次通信回路３０４ｂの一部）は、他方のＭＡＣ３１４’のＭＩＩ及びＭＤＩＯバスに結合される。ＰＨＹ３２４ａ、ｂは、プロセッサ３１０、３１０’によって個別にリセットされるのとは対照的に、システム全体のリセットに関連してリセットされる。ＰＨＹ３２４ａ、ｂがＭＤＩＯもＭＩＩバスも共有しないので、ＰＨＹ３２４ａ、ｂのアドレスピンは使用されない。図３の場合と同様に、イメージャ３１８は、プロセッサ３１０の一方と通信するＩＳＰ３１６に接続され、ＤＣ／ＤＣ変換器３２２は、一次通信回路３０４ａに接続され、カメラ１００に給電する。２つのプロセッサ３１０、３１０’は互いに通信して、所与の時間にデジタル通信信号をポート２０４ａ、ｂの一方又は両方に送信する。
【００５４】
もう一つのこれら代替的な実施形態において、制御及び処理回路３０２は、２つのＭＡＣ３１４、３１４’を有しているが、それらはＳｏＣ３０８に組み込まれているか、又はＳｏＣ３０８の一部でなくても同じプロセッサ３１０によって制御されるか、そのいずれかである。図５（ｂ）は、２つのＭＡＣ３１４、３１４’がＳｏＣ３０８に統合された実施形態を示し、制御及び処理回路３０２は、それ以外は図３に示すものと同様である。図５（ａ）の実施形態の場合と同様に、ＰＨＹ３２４ａの各々が、ＭＡＣ３１４、３１４'の一方に、そのＭＡＣ３１４、３１４'のＭＤＩＯ及びＭＩＩバスを介して接続される。ＰＨＹ３２４ａ、ｂは、ＧＰＩＯライン３１２によって個別にリセットされるのとは対照的に、システム全体のリセットに関連してリセットされる。これもまた図５（ａ）の場合と同様に、ＰＨＹ３２４ａ、ｂの各々が独自のＭＡＣ３１４、３１４'に接続されているので、ＰＨＹ３２４ａ、ｂのアドレスピンは未使用のまま残される。図３及び図５（ａ）の場合と同様に、ＤＣ／ＤＣ変換器３２２が一次通信回路３０４ａに接続され、カメラ１００に給電する。
【００５５】
図５（ｃ）に示されるもう一つのこれら代替的な実施形態において、制御及び処理回路３０２は、ＭＡＣ３１４とＰＨＹ３２４ａ、ｂとの間に挿入されたハブ５０２又はスイッチ５０３を含む。さらに、ＰＨＹ３２４ａ、ｂは、ＧＰＩＯライン３１２によって個別にリセットされるのとは対照的に、システム全体のリセットに関連してリセットされる。制御及び処理回路３０２は、ＰＨＹ３２４ａ、ｂは、ハブ５０２又はスイッチ５０３を介して同じＭＡＣ３１４に接続され、それ以外は図３に示すものと同一である。ハブ５０２が用いられる場合、ハブ５０２は、ＭＡＣ３１４からＰＨＹ３２４ａ、ｂに送信される全てのパケットを複製するので、ＰＨＹ３２４ａ、ｂの各々が、ＳｏＣ３０８から同じデジタル通信信号を受信する。ハブ５０２は、ＰＨＹ３２４ａ、ｂのどちらかからＭＡＣ３１４に送られた全てのパケットを同じように直列化する。ハブ５０２は、例えばＦＰＧＡを用いて、又は集積回路として実装することができる。ＭＡＣ３１４からＰＨＹ３２４ａ、ｂに送信される全てのパケットを複製する代わりに、スイッチ５０３が用いられる場合、ＭＡＣ３１４から一次イーサネットポート２０４ａ宛のパケットは一次ＰＨＹ３２４ａのみに伝送され、二次イーサネットポート２０４ｂ宛のパケットは二次ＰＨＹ３２４ｂのみに伝送される。スイッチ５０３又はハブ５０２を組み入れた代替的な実施形態では、ＳｏＣ３０８がスイッチ又はハブと常に通信状態にあるので、ＳｏＣ３０８は、リンクのアップ又はダウンをアプリケーションに通知しない（ブロック４４２及び４２８）。図３、図５（ａ）及び図５（ｂ）の場合と同様に、ＤＣ／ＤＣ変換器３２２が一次通信回路３０４ａに接続され、カメラ１００に給電する。
【００５６】
また、前述の実施形態において、ＳｏＣ３０８は、構成用イーサネットポート２０４ｂがアクティブリンクに結合しているか否かを検出し、デジタル通信信号を、構成用イーサネットポート２０４ｂのみに、構成用イーサネットポート２０４ｂがアクティブリンクに結合した場合にのみ送信する。代替的な実施形態（図示せず）では、これは必ずしも当てはまらない。例えば、ＳｏＣ３０８は、ハブを用いる上記の実施形態で説明したように、デジタル通信信号を両方のポート２０４ａ、ｂに同時に、常に送ることができ、又は構成用イーサネットポート２０４ｂがアクティブリンクに結合している場合にのみ送ることができる。あるいは、ＳｏＣ３０８は、構成用イーサネットポート２０４ｂがアクティブリンクに結合しているか否かにかかわらず、デジタル通信信号を常に構成用イーサネットポート２０４ｂに送信することができる。あるいは、図示した実施形態及びスイッチを組み入れた上述の代替的な実施形態において、デジタル通信信号を、一次イーサネットポート２０４ａ又は構成用イーサネットポート２０４ｂに別々に送信することができる。
【００５７】
さらに、前述の実施形態においてカメラ１００は弾丸型カメラとして示されているが、代替的な実施形態（図示せず）において、ドーム型カメラなど異なる型式のカメラを用いることができる。
【００５８】
前述の実施形態ではＳｏＣが用いられているが、代替的な実施形態（図示せず）において、ＳｏＣは、代わりに、例えば、マイクロプロセッサ、マイクロコントローラ、プログラム可能論理コントローラ、フィールドプログラム可能ゲートアレイ、又は特定用途向け集積回路とすることができる。コンピュータ可読媒体の例は、非一時的なものであり、ＣＤ−ＲＯＭ及びＤＶＤなどのディスクベースの媒体、ハードドライブ及びその他の形態の磁気ディスクストレージなどの磁気媒体、並びにフラッシュメディア、ランダムアクセスメモリ、及び読出し専用メモリなどの半導体ベースの媒体を含む。
【００５９】
本明細書で論じたいずれの態様及び実施形態のいずれの部分も、本明細書で論じたその他のいずれの態様又は実施形態のいずれの部分と共に実装すること又は組み合わせることができることが意図されている。
【００６０】
便宜上、上記の例示的な実施形態は、相互接続した種々の機能ブロックとして説明される。しかしながら、これは必ずしも必須ではなく、これらの機能ブロックを、均等に集約して、明確な境界を持たない単一の論理装置、プログラム又は動作にする場合があり得る。いずれにしても、機能ブロックは、それ自体で、又はハードウェア若しくはソフトウェアのその他の部分との組み合わせで、実装することができる。
【００６１】
図４（ａ）及び（ｂ）は、例示的な方法の実施形態のフローチャートを示す。フローチャート内に示されたブロックのうちの幾つかは、記載された順序とは異なる順序で実行することができる。また、フローチャート内に記載されたブロックの全てを実行する必要があるわけではないこと、付加的なブロックを追加することができること、及び図示したブロックの幾つかをその他のブロックで置き換えることができることを認識されたい。
【００６２】
特定の実施形態を上述したが、その他の実施形態が可能であり、本明細書に含まれることが意図されることを理解されたい。前述の実施形態に対する、図示していない変形形態及び修正形態が可能であることが、当業者には明らかである。
【符号の説明】
【００６３】
１００：カメラ
１０２：カメラ本体
１０４：フード
１０６：開口部
１０８：装着アーム
１１０：取付板
２０２：構成用パネル
２０４ａ：一次イーサネットポート
２０４ｂ：二次イーサネットポート（構成用イーサネットポート）
２０６：接続状態ＬＥＤ
２０８：リンクＬＥＤ
２１０：シリアル番号タブ
３００：ブロック図
３０２：制御及び処理回路
３０４ａ：一次通信回路
３０４ｂ：二次通信回路
３０８：システム・オン・チップ
３１０：プロセッサ
３１２：汎用入力／出力（ＧＰＩＯ）ライン
３１４：媒体アクセスコントローラ（ＭＡＣ）
３１８：イメージャ
３２０：コンピュータ可読媒体
３２２：ＤＣ／ＤＣ変換器
３２４ａ：一次イーサネット物理層（一次ＰＨＹ）
３２４ｂ：二次イーサネット物理層（二次ＰＨＹ）
３２６ａ、ｂ：イーサネット・マグネティクス
【図１】
0006017705.tif 000002
【図２】
0006017705.tif 000003
【図３】
0006017705.tif 000004
【図４（ａ）】
0006017705.tif 000005
【図４（ｂ）】
0006017705.tif 000006
【図５（ａ）】
0006017705.tif 000007
【図５（ｂ）】
0006017705.tif 000008
【図５（ｃ）】
0006017705.tif 000009